(57)【要約】【課題】  シールド性を向上させた表示装置を提供する。【解決手段】  複数の画素を有する表示パネルと、前記表示パネルの観察者側の面に配置される透明導電膜とを有し、前記透明導電膜に、交流成分が重畳された直流電圧を供給する。  前記各画素は、共通電極を有し、前記透明導電膜に供給される交流成分は、前記共通電極上の電圧変動に対して逆極性に変動する電圧である。前記表示パネルは、前記共通電極に共通電圧を供給する共通電圧配線と、前記共通電極、あるいは、前記共通電圧配線上の電圧が入力される反転増幅回路とを有し、前記反転増幅回路の出力を、前記透明導電膜に供給する。前記表示パネルは、前記各画素に映像電圧を入力する映像線を有し、前記透明導電膜に供給される交流成分は、前記映像線に供給される映像電圧のレベル変化に応じて前記透明導電膜に生じるスパイク状電圧に対して逆極性に変動する電圧である。【選択図】  図２
2012234080.tif 000002
【特許請求の範囲】
【請求項１】
複数の画素を有する表示パネルと、
前記表示パネルの観察者側の面に配置される透明導電膜とを有し、
前記透明導電膜に、交流成分が重畳された直流電圧を供給することを特徴とする表示装置。
【請求項２】
前記各画素は、共通電極を有し、
前記透明導電膜に供給される交流成分は、前記共通電極上の電圧変動に対して逆極性に変動する電圧であることを特徴とする請求項１に記載の表示装置。
【請求項３】
前記表示パネルは、前記共通電極に共通電圧を供給する共通電圧配線と、
前記共通電極、あるいは、前記共通電圧配線上の電圧が入力される反転増幅回路とを有し、
前記反転増幅回路の出力を、前記透明導電膜に供給することを特徴とする請求項２に記載の表示装置。
【請求項４】
前記表示パネルは、前記各画素に映像電圧を入力する映像線を有し、
前記透明導電膜に供給される交流成分は、前記映像線に供給される映像電圧のレベル変化に応じて前記透明導電膜に生じるスパイク状電圧に対して逆極性に変動するスパイク状電圧であることを特徴とする請求項１ないし請求項３のいずれか１項に記載の表示装置。
【請求項５】
前記表示パネルは、前記各画素に走査電圧を入力する走査線を有し、
前記透明導電膜に供給される交流成分は、前記走査線に供給される走査電圧のレベル変化に応じて前記透明導電膜に生じるスパイク状電圧に対して逆極性に変動するスパイク状電圧であることを特徴とする請求項１ないし請求項３のいずれか１項に記載の表示装置。
【請求項６】
前記表示パネルは、一対の基板と、
前記一対の基板間に挟持される液晶とを有する液晶表示パネルであり、
前記透明導電膜は、前記一対の基板の表示パネルの観察者側の面に設けられ、
前記透明導電膜上に設けられる偏光板を有することを特徴とする請求項１ないし請求項５のいずれか１項に記載の表示装置。
【請求項７】
前記表示パネルは、一対の基板と、
前記一対の基板間に挟持される液晶と、
前記複数の画素に映像電圧を入力する複数の映像線と、
前記複数の画素に走査電圧を入力する複数の走査線とを有する液晶表示パネルであり、
前記透明導電膜上に設けられる偏光板と、
前記各映像線に映像電圧を供給する映像線駆動回路とを有し、
前記各画素は、第１の色のサブピクセルと、第２の色のサブピクセルと、第３の色のサブピクセルとで構成され、
前記複数の映像線は、前記第１の色のサブピクセル用の映像線Ａ、前記第２の色のサブピクセル用の映像線Ｂ、および前記第３の色のサブピクセル用の映像線Ｃとで構成され、
前記映像線駆動回路から出力される映像電圧を、映像線Ａ、映像線Ｂ、あるいは、映像線Ｃに振り分けるＲＧＢスイッチ回路を有し、
１水平走査期間は、連続する第１期間、第２期間、および第３期間に分割され、
前記ＲＧＢスイッチ回路は、前記映像線駆動回路から出力される映像電圧を、前記第１期間に前記映像線Ａに、前記第２期間に前記映像線Ｂに、前記第３期間に前記映像線Ｃに供給することを特徴とする請求項１ないし請求項３のいずれか１項に記載の表示装置。
【請求項８】
前記透明導電膜に供給される交流成分は、前記映像線に供給される映像電圧のレベル変化に応じて前記透明導電膜に生じるスパイク状電圧に対して逆極性に変動するスパイク状電圧であることを特徴とする請求項７に記載の表示装置。
【請求項９】
前記透明導電膜に供給される交流成分は、前記走査線に供給される走査電圧のレベル変化に応じて前記透明導電膜に生じるスパイク状電圧に対して逆極性に変動するスパイク状電圧であることを特徴とする請求項７に記載の表示装置。
【請求項１０】
前記透明導電膜に供給される交流成分は、前記ＲＧＢスイッチ回路に入力されるスイッチ切替信号のレベル変化に応じて前記透明導電膜に生じるスパイク状電圧に対して逆極性に変動するスパイク状電圧であることを特徴とする請求項７に記載の表示装置。
【発明の詳細な説明】
【技術分野】
【０００１】
本発明は、表示装置に係わり、特に、液晶表示装置の液晶表示パネルから発生するノイズを低減する技術に関する。
【背景技術】
【０００２】
表示画面に使用者の指またはペンなどを用いてタッチ操作（接触押圧操作、以下、単にタッチと称する）して情報を入力する装置（以下、タッチセンサ又はタッチパネルとも称する）を備えた表示装置は、ＰＤＡや携帯端末などのモバイル用電子機器、各種の家電製品、現金自動預け払い機（Automated Teller Machine）等に用いられている。
このようなタッチパネルとして、タッチされた部分の抵抗値変化を検出する抵抗膜方式、あるいは容量変化を検出する静電容量方式、または光量変化を検出する光センサ方式などが知られている。
現在、このようなタッチパネル付き表示装置においては、タッチパネルの下側に配置される表示装置（例えば、液晶表示装置等）から発生するノイズの影響により、タッチパネルの検出精度が低下するなどの問題があった。
【先行技術文献】
【特許文献】
【０００３】
【特許文献１】特開２０００−２３１１２０号公報
【発明の概要】
【発明が解決しようとする課題】
【０００４】
前述したように、タッチパネル付き表示装置においては、タッチパネルの下側に配置される表示装置（例えば、液晶表示装置等）から発生するノイズの影響により、タッチパネルの検出精度が低下するなどの問題があった。
特に、表示装置が、ＩＰＳ（In Plane Switching）方式の液晶表示装置の場合、カラーフィルタ側の電波に対するシールド性が、他の方式の液晶表示装置よりも弱い。そのため、前述の問題に対する対策として、タッチパネルでは、裏面側に、低抵抗の透明導電膜（例えば、ＩＴＯ（Indium Tin Oxide）膜）を形成し、且つ、その低抵抗の透明導電膜に接地電位（ＧＮＤ）を印加するために、当該透明導電膜に、裏面プリント配線基板をＦＯＧ方式で実装している。その結果として、コスト面、性能（透過率）面で短所となっている。
この状況の中で、ＩＰＳ方式の液晶表示装置に関しても、シールド性を高くすることが望まれている。
本発明は、前記知見に基づきなされたものであり、本発明の目的は、シールド性を向上させた表示装置を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）複数の画素を有する表示パネルと、前記表示パネルの観察者側の面に配置される透明導電膜とを有し、前記透明導電膜に、交流成分が重畳された直流電圧を供給する。
（２）（１）において、前記各画素は、共通電極を有し、前記透明導電膜に供給される交流成分は、前記共通電極上の電圧変動に対して逆極性に変動する電圧である。
（３）（２）において、前記表示パネルは、前記共通電極に共通電圧を供給する共通電圧配線と、前記共通電極、あるいは、前記共通電圧配線上の電圧が入力される反転増幅回路とを有し、前記反転増幅回路の出力を、前記透明導電膜に供給する。
（４）（１）ないし（３）の何れかにおいて、前記表示パネルは、前記各画素に映像電圧を入力する映像線を有し、前記透明導電膜に供給される交流成分は、前記映像線に供給される映像電圧のレベル変化に応じて前記透明導電膜に生じるスパイク状電圧に対して逆極性に変動するスパイク状電圧である。
（５）（１）ないし（３）の何れかにおいて、前記表示パネルは、前記各画素に走査電圧を入力する走査線を有し、前記透明導電膜に供給される交流成分は、前記走査線に供給される走査電圧のレベル変化に応じて前記透明導電膜に生じるスパイク状電圧に対して逆極性に変動するスパイク状電圧である。
（６）（１）ないし（５）の何れかにおいて、前記表示パネルは、一対の基板と、前記一対の基板間に挟持される液晶とを有する液晶表示パネルであり、前記透明導電膜は、前記一対の基板の表示パネルの観察者側の面に設けられ、前記透明導電膜上に設けられる偏光板を有する。
【０００６】
（７）（１）ないし（３）の何れかにおいて、前記表示パネルは、一対の基板と、前記一対の基板間に挟持される液晶と、前記複数の画素に映像電圧を入力する複数の映像線と、前記複数の画素に走査電圧を入力する複数の走査線とを有する液晶表示パネルであり、前記透明導電膜上に設けられる偏光板と、前記各映像線に映像電圧を供給する映像線駆動回路とを有し、前記各画素は、第１の色のサブピクセルと、第２の色のサブピクセルと、第３の色のサブピクセルとで構成され、前記複数の映像線は、前記第１の色のサブピクセル用の映像線Ａ、前記第２の色のサブピクセル用の映像線Ｂ、および前記第３の色のサブピクセル用の映像線Ｃとで構成され、前記映像線駆動回路から出力される映像電圧を、映像線Ａ、映像線Ｂ、あるいは、映像線Ｃに振り分けるＲＧＢスイッチ回路を有し、１水平走査期間は、連続する第１期間、第２期間、および第３期間に分割され、前記ＲＧＢスイッチ回路は、前記映像線駆動回路から出力される映像電圧を、前記第１期間に前記映像線Ａに、前記第２期間に前記映像線Ｂに、前記第３期間に前記映像線Ｃに供給する。
（８）（７）において、前記透明導電膜に供給される交流成分は、前記映像線に供給される映像電圧のレベル変化に応じて前記透明導電膜に生じるスパイク状電圧に対して逆極性に変動するスパイク状電圧である。
（９）（７）において、前記透明導電膜に供給される交流成分は、前記走査線に供給される走査電圧のレベル変化に応じて前記透明導電膜に生じるスパイク状電圧に対して逆極性に変動するスパイク状電圧である。
（１０）（７）において、前記透明導電膜に供給される交流成分は、前記ＲＧＢスイッチ回路に入力されるスイッチ切替信号のレベル変化に応じて前記透明導電膜に生じるスパイク状電圧に対して逆極性に変動するスパイク状電圧である。
【発明の効果】
【０００７】
本願において開示される発明のうち代表的なものによって得られる効果を簡単に説明すれば、下記の通りである。
本発明によれば、表示装置において、シールド性を向上させることが可能となる。
【図面の簡単な説明】
【０００８】
【図１】本発明の実施例の液晶表示装置の等価回路を示す図である。
【図２】本発明の実施例の液晶表示パネルの概略断面構造を示す要部断面図である。
【図３】本発明の実施例の１画素構成を説明するための図である。
【図４】図２に示すＡＣ電圧発生回路となる反転増幅回路の回路構成を示す回路図である。
【図５】本発明の実施例の液晶表示装置の各部の電圧波形を示す波形図であり、同図（ａ）は、正極性駆動時の電圧波形、同図（ｂ）は負極性駆動時の電圧波形である。
【図６】本発明の実施例の液晶表示装置の変形例の等価回路を示す図である。
【図７】従来の液晶表示パネル（ＬＣＤ）の概略断面構造を示す要部断面図である。
【図８】図７に示す従来の液晶表示装置の各部の電圧波形を示す波形図であり、同図（ａ）は、正極性駆動時の電圧波形、同図（ｂ）は負極性駆動時の電圧波形である。概略構成を示すブロック図である。
【発明を実施するための形態】
【０００９】
以下、図面を参照して本発明の実施例を詳細に説明する。
なお、実施例を説明するための全図において、同一機能を有するものは同一符号を付け、その繰り返しの説明は省略する。また、以下の実施例は、本発明の特許請求の範囲の解釈を限定するためのものではない。
［実施例］
図１は、本発明の実施例の液晶表示装置の等価回路を示す図である。
同図に示すように、液晶表示パネルの表示部１００は、マトリクス状に配置される画素（ＰＩＸ）を有する。
各画素（ＰＩＸ）は、隣接する２本の映像線（Ｄ）と、隣接する２本の走査信号線（Ｇ）との交差領域（４本の信号線で囲まれた領域）に配置される。各画素（ＰＩＸ）は、薄膜トランジスタ（Thin Film Transistor;ＴＦＴ）と、薄膜トランジスタ（ＴＦＴ）のソース電極（または、ドレイン電極）に接続される画素電極１４と、画素電極１４と液晶層を挟んで対向する共通電極１７とを有する。なお、Ｃｌｃは液晶層を等価的に示す液晶容量である。さらに、図１では、共通電極１７と画素電極１４との間に形成される保持容量の図示は省略している。
列方向に配置された各画素（ＰＩＸ）の薄膜トランジスタ（ＴＦＴ）のドレイン電極（または、ソース電極）は、それぞれ映像線（Ｄ）に接続され、各映像線（Ｄ）は、表示データに対応する映像電圧（階調電圧）を供給する映像線駆動回路（ドレインドライバ、ソースドライバともいう）２３に接続される。
また、行方向に配置された各画素（ＰＩＸ）の薄膜トランジスタ（ＴＦＴ）のゲート電極は、それぞれ走査線（Ｇ）に接続され、各走査線（Ｇ）は、１水平走査時間、薄膜トランジスタ（ＴＦＴ）のゲート電極に走査電圧（正または負のバイアス電圧）を供給する走査線駆動回路（ゲートドライバともいう）２２に接続される。
【００１０】
図１において、ＣＴＬは、表示制御回路（タイミングコントローラともいう）である。
表示制御回路（ＣＴＬ）は、コンピュータ本体側から送信されてくるクロック信号（ＣＫ）、ディスプレイタイミング信号（ＤＴＭＧ）、水平同期信号（ＨＳＹＮＣ）、垂直同期信号（ＶＳＹＮＣ）の各表示制御信号および表示用データ（Ｒ・Ｇ・Ｂ）を基に、映像線駆動回路２３、および、走査線駆動回路２２を制御・駆動する。
表示制御回路（ＣＴＬ）は、ディスプレイタイミング信号が入力されると、これを表示開始位置と判断し、受け取った単純１列の表示データを、表示データのバスライン介して映像線駆動回路２３に出力する。
その際、表示制御回路（ＣＴＬ）は、映像線駆動回路２３のデータラッチ回路に表示データをラッチするための表示制御信号である表示データラッチ用クロック信号（ＣＬ２）を信号線を介して出力する。
表示制御回路（ＣＴＬ）は、ディスプレイタイミング信号の入力が終了するか、または、ディスプレイタイミング信号が入力されてから所定の一定時間が過ぎると、１水平分の表示データが終了したものとして、映像線駆動回路２３のラッチ回路に蓄えていた表示データを液晶表示パネルの映像線（Ｄ１〜Ｄｍ）に出力するための表示制御信号である出力タイミング制御用クロック信号（ＣＬ１）を信号線を介して映像線駆動回路２３に出力する。
これにより、映像線駆動回路２３は、１水平走査期間毎に、表示データに対応する映像電圧を映像線（Ｄ１〜Ｄｍ）に供給する。
【００１１】
また、表示制御回路（ＣＴＬ）は、垂直同期信号入力後に、第１番目のディスプレイタイミング信号が入力されると、これを第１番目の表示ラインと判断して信号線を介して走査線駆動回路２２にフレーム開始指示信号（ＦＬＭ）を出力する。
また、表示制御回路（ＣＴＬ）は、水平同期信号に基づいて、信号線を介して走査線駆動回路２２へ１水平走査時間周期のシフトクロック信号（ＣＬ３）を出力する。これにより、走査線駆動回路２２は、１水平走査時間毎に、上から下に向かって、あるいは、下から上に向かって順次走査線（Ｇ１〜Ｇｎ）を選択し、選択した走査線に正のバイアス電圧を印加し、当該選択された走査線に接続された複数の薄膜トランジスタＴＦＴが、１水平走査期間導通する。
映像線（Ｄ１〜Ｄｍ）に供給された電圧は、１水平走査期間導通状態なる薄膜トランジスタ（ＴＦＴ）を経由して、画素電極１４に出力され、最終的に、保持容量（図示せず）と、液晶容量（Ｃｌｃ）に電荷がチャージされ、液晶分子をコントロールすることにより画像が表示される。
【００１２】
図２は、本発明の実施例の液晶表示パネルの概略断面構造を示す要部断面図である。
本実施例の液晶表示装置は、液晶表示パネル（ＬＣＤ）と、液晶表示パネル（ＬＣＤ）の下側に配置されるバックライト（ＢＬ）を有する。
液晶表示パネル（ＬＣＤ）は、液晶層８を挟んで、第１基板１２（ＴＦＴ基板ともいう。）と、第２基板３（ＣＦ基板ともいう。）とが設けられる。なお、本実施例の液晶表示パネルでは、第２基板３の主表面側が観察側となっている。
図２に示すように、第１基板１２の液晶層側には、第１基板１２から液晶層８に向かって順に、第１絶縁膜１１、画素電極１４および映像線１５、第２絶縁膜１０、共通電極１７および共通電極配線１６、第３絶縁膜９、配向膜７が形成される。なお、第１基板１２の外側には下偏光板１３が設けられる。
第２基板３の液晶層側には、第２基板３から液晶層８に向かって順に、ブラックマトリクス（遮光膜）５、赤・緑・青のカラーフィルタ層４、平坦化膜６、配向膜７が形成される。なお、第２基板３の外側には、透明導電膜２が設けられ、当該透明導電膜２上に、偏光膜１３が設けられる。
本実施例では、該透明導電膜２には、ＡＣ電圧発生回路１９により、ノイズを相殺するための交流電圧（あるいは、パルス状の電圧）が入力される。
また、図２に示す液晶表示パネルでは、画素電極１４は面状に形成され、共通電極１７は、複数のスリットを有する電極とされる。
また、詳細な構成の図示は省略するが、バックライト（ＢＬ）は、モールドと、光源と、導光板と、光学シート群と、反射シートとで構成される。
【００１３】
図３は、本発明の実施例の１画素構成を説明するための図である。
図３において、１５は映像線、２１は走査線であり、走査線２１と映像線１５とは交差するように配置される。
走査線２１と映像線１５とが交差する位置に薄膜トランジスタ２０が配置される。薄膜トランジスタ２０のゲート電極は、走査線２１に接続され、薄膜トランジスタ２０のドレイン電極（または、ソース電極）は、映像線１５に接続される。
ここで、映像線１５は映像線駆動回路２３に接続され、映像線駆動回路２３は、映像線１５に対して映像電圧を供給する。走査線駆動回路２２は、走査線２１に対して、走査電圧（非選択走査電圧、あるいは、選択走査電圧）を供給する。
さらに、共通電極１７は、共通電極配線１６を介して共通電極駆動回路２４に接続され、共通電極駆動回路２４は、共通電極１７に対して共通電圧を供給する。ここで、液晶表示パネル（ＬＣＤ）の交流駆動方法が、ドット反転法などのコモン対称法の場合、共通電極１７には、一定の電位（例えば、ＧＮＤの接地電位）が供給される。
なお、本実施例では、第２絶縁膜１０の上側にスリット状の共通電極１７を、第２絶縁膜１０の下側に面状の画素電極１４を配置したが、第２絶縁膜１０の上側にスリット状の画素電極１４を、第２絶縁膜１０の下側に面状の共通電極１７を配置するようにしてもよい。さらには、第２絶縁膜１０の上側にスリット状の共通電極１７を、第２絶縁膜１０の下側にスリット状の画素電極１４を、あるいは、第２絶縁膜１０の上側にスリット状の画素電極１４を、第２絶縁膜１０の下側にスリット状の共通電極１７を配置するようにしてもよい。
【００１４】
図７に、従来の液晶表示装置の概略断面構造を示す。
図２に示す本実施例の液晶表示パネル（ＬＣＤ）と、図７に示す従来の液晶表示パネル（ＬＣＤ）とを比較すると、第２基板３の反対側に形成された透明導電膜２へ印加する電源／電圧発生回路が、本実施例の液晶表示パネル（ＬＣＤ）では、ＡＣ電圧発生回路１９であるのに対して、従来の液晶表示パネル（ＬＣＤ）では、ＤＣ電源になっていることである。
図４は、図２に示すＡＣ電圧発生回路１９となる反転増幅回路の回路構成を示す回路図である。図４に示す反転増幅回路は、オペアンプ（ＯＰ）と、抵抗素子（Ｒａ，Ｒｂ）とで構成される。
本実施例では、ＡＣ電圧発生回路１９は、図４に示す反転増幅回路で構成される。この反転増幅回路の入力信号は、第１基板１２の共通電極配線１６（または、共通電極１７）上のＶｃｏｍ＊の電圧である。なお、Ｒａ，Ｒｂの抵抗素子の抵抗値は、各配線や、透明導電膜の抵抗値や、透明導電膜間の容量の値に基づき適宜で最適な値に設定される。
【００１５】
図８は、図７に示す従来の液晶表示装置の各部の電圧波形を示す波形図であり、同図（ａ）は、正極性駆動時の電圧波形、同図（ｂ）は負極性駆動時の電圧波形である。
また、図８において、Ｖｇｎは、走査線駆動回路２２から走査線２１に供給される選択走査電圧波形、Ｖｇｎ＊は、薄膜トランジスタ２０のゲート電極に入力される選択走査電圧波形、Ｖｄｍは、映像線駆動回路２３から映像線１５に供給される映像電圧波形、Ｖｄｍ＊は、画素電極１４に入力される映像電圧波形、Ｖｃｏｍは、共通電極駆動回路２４から供給される共通電圧波形、Ｖｃｏｍ＊は、共通電極配線１６（または、共通電極１７）で観察される共通電圧波形、Ｖｓｈは、透明導電膜２に供給される電圧波形、Ｖｓｈ＊は、透明導電膜２で観察される電圧波形である。なお、図８では、交流化駆動方法として、ドット反転法などのコモン対称法を採用しているので、共通電圧波形は、変動のない一定の波形となる。
図８に示すように、走査電圧（Ｖｇｎ）、および、映像電圧（Ｖｄｍ）のレベル変化を起因として、容量結合している透明導電膜２の電圧（Ｖｓｈ）、あるいは、共通電極１７（または共通電極配線１６）の共通電圧（Ｖｃｏｍ）に電圧変動が生じ、Ｖｃｏｍ＊，Ｖｓｈ＊に示すように、透明導電膜２の電圧にスパイク状の電圧が重畳することとなる。その結果として、液晶表示装置の近傍に配置された他の電子デバイス（例えば、静電容量タッチパネル）の信号に電圧ノイズを重畳させることとなるので、当該電子デバイスの正常動作を妨げ、電子デバイスの特性を低下させることなる。
【００１６】
図５は、本実施例の液晶表示装置の各部の電圧波形を示す波形図であり、同図（ａ）は、正極性駆動時の電圧波形、同図（ｂ）は負極性駆動時の電圧波形である。
なお、図５において、Ｖｇｎ、Ｖｇｎ＊、Ｖｄｍ、Ｖｄｍ＊、Ｖｃｏｍ、Ｖｃｏｍ＊、Ｖｓｈ、および、Ｖｓｈ＊は、図８で説明した電圧波形と同じ電圧波形である。また、図５でも、交流化駆動方法として、ドット反転法などのコモン対称法を採用しているので、共通電圧波形は、変動のない一定の波形となる。
本実施例でも、走査電圧（Ｖｇｎ）、および、映像電圧（Ｖｄｍ）のレベル変化を起因として、容量結合している透明導電膜２の電圧（Ｖｓｈ）、あるいは、共通電極配線１６（または共通電極１７）の共通電圧（Ｖｃｏｍ）に電圧変動が生じる。
しかしながら、本実施例では、図５のＶｃｏｍ＊に示すように、共通電圧（Ｖｃｏｍ）に重畳するスパイク状の電圧を、図４に示す反転増幅回路を用いて、共通電圧（Ｖｃｏｍ）に重畳するスパイク状の電圧とは逆位相の電圧を生成する。
当該生成した共通電圧（Ｖｃｏｍ）に重畳するスパイク状の電圧とは逆位相の電圧を、ＡＣ電圧発生回路１９から透明導電膜２に印加する。これにより、走査電圧（Ｖｇｎ）、および、映像電圧（Ｖｄｍ）のレベル変化を起因として、容量結合している透明導電膜２の電圧（Ｖｓｈ）に重畳するスパイク状の電圧を相殺し、図５に示すように、透明導電膜２で観察される電圧（Ｖｓｈ＊）は、ＤＣレベル相当の電圧変動が抑圧された電圧とすることができる。
その結果として、液晶表示装置の近傍に配置された他の電子デバイス（例えば、静電容量タッチパネル）の信号に電圧ノイズが重畳されるのを低減し、当該電子デバイスへ与える影響を低減することが可能となる。
なお、抵抗素子（Ｒａ，Ｒｂ）は、各配線や、透明導電膜２の抵抗値や、透明導電膜２と共通電極との間の容量値で変化する任意の定数であるが、前述のＶｓｈ＊が最もＤＣレベルに近づく様に決定する。
【００１７】
図６は、本発明の実施例の液晶表示装置の変形例の等価回路を示す図である。
図６に示す液晶表示装置は、図１に示す液晶表示装置において、映像線駆動回路２３の各出力端子（Ｓ１〜Ｓｍ）にＲＧＢスイッチ回路（ＳＷＳ）を接続し、ＲＧＢスイッチ回路（ＳＷＳ）により、映像線駆動回路２３から出力される映像電圧を、Ｒ（赤）用の映像線（Ｄ１−Ｒ〜Ｄｍ−Ｒ）、Ｇ（緑）用の映像線（Ｄ１−Ｇ〜Ｄｍ−Ｇ）、および、Ｂ（青）用の映像線（Ｄ１−Ｂ〜Ｄｍ−Ｂ）に振り分けるようにしたものである。
ＲＧＢスイッチ回路（ＳＷＳ）は、Ｒ（赤）用の映像線（Ｄ１−Ｒ〜Ｄｍ−Ｒ）と映像線駆動回路２３との間に接続されるスイッチングトランジスタ（ＴｒＡ）と、Ｇ（緑）用の映像線（Ｄ１−Ｇ〜Ｄｍ−Ｇ）と映像線駆動回路２３との間に接続されるスイッチングトランジスタ（ＴｒＢ）と、Ｂ（青）用の映像線（Ｄ１−Ｂ〜Ｄｍ−Ｂ）と映像線駆動回路２３との間に接続されるスイッチングトランジスタ（ＴｒＢ）とで構成される。
スイッチングトランジスタ（ＴｒＡ，ＴｒＢ，ＴｒＣ）は、表示制御回路（ＣＴＬ）から出力されるスイッチ切替信号（ＳＥＬＡ，ＳＥＬＢ，ＳＥＬＣ）により制御される。
スイッチングトランジスタ（ＴｒＡ）はスイッチ切替信号（ＳＥＬＡ）によりオン、オフが制御され、スイッチングトランジスタ（ＴｒＢ）はスイッチ切替信号（ＳＥＬＢ）によりオン、オフが制御され、スイッチングトランジスタ（Ｔｒｃ）はスイッチ切替信号（ＳＥＬＣ）によりオン、オフが制御される。
【００１８】
ＲＧＢスイッチ回路（ＳＷＳ）は、１水平走査期間の第１期間に、スイッチングトランジスタ（ＴｒＡ）がオン、スイッチングトランジスタ（ＴｒＢ）とスイッチングトランジスタ（ＴｒＣ）とがオフとなり、映像線駆動回路２３から出力されるＲの映像電圧を、Ｒ用の映像線（Ｄ１−Ｒ〜Ｄｍ−Ｒ）に出力し、１水平走査期間の第２期間に、スイッチングトランジスタ（ＴｒＢ）がオン、スイッチングトランジスタ（ＴｒＡ）とスイッチングトランジスタ（ＴｒＣ）とがオフとなり、映像線駆動回路２３から出力されるＧの映像電圧を、Ｇ用の映像線（Ｄ１−Ｇ〜Ｄｍ−Ｇ）に出力し、１水平走査期間の第３期間に、スイッチングトランジスタ（ＴｒＣ）がオン、スイッチングトランジスタ（ＴｒＡ）とスイッチングトランジスタ（ＴｒＢ）とがオフとなり、映像線駆動回路２３から出力されるＢの映像電圧を、Ｂ用の映像線（Ｄ１−Ｂ〜Ｄｍ−Ｂ）に出力する。
図６に示す液晶表示装置によれば、走査電圧（Ｖｇｎ）、および、映像電圧（Ｖｄｍ）のレベル変化に加えて、スイッチ切替信号（ＳＥＬＡ，ＳＥＬＢ，ＳＥＬＣ）のレベル変化を起因として、容量結合している透明導電膜２の電圧（Ｖｓｈ）に重畳するスパイク状の電圧を相殺し、透明導電膜２で観察される電圧（Ｖｓｈ＊）を、ＤＣレベル相当の電圧変動が抑圧された電圧とすることができる。
その結果として、液晶表示装置の近傍に配置された他の電子デバイス（例えば、静電容量タッチパネル）の信号に電圧ノイズが重畳されるのを低減し、当該電子デバイスへ与える影響を低減することが可能となる。
【００１９】
以上説明したように、従来の液晶表示装置によれば、走査電圧（Ｖｇｎ）、および、映像電圧（Ｖｄｍ）のレベル変化を起因として、容量結合している透明導電膜２と、共通電極配線１６に電圧変動が発生する。結果として、当該透明導電膜２の電圧変化により電波ノイズを発生させ、液晶表示装置の近傍に配置された他の電子デバイス（例えば、静電容量タッチパネル）の信号にノイズを重畳させ、正常動作を妨げることとなる。
これに対して、本実施例によれば、走査電圧（Ｖｇｎ）、映像電圧（Ｖｄｍ）、あるいは、スイッチ切替信号（ＳＥＬＡ，ＳＥＬＢ，ＳＥＬＣ）のレベル変化を起因として、同一タイミングで、共通電極配線１６（または共通電極１７）上の電圧に重畳した電圧変化を入力信号に用いた反転増幅回路を追加し、その出力波形（ＡＣ電圧）を透明導電膜２に印加することで、透明導電膜２に重畳する電圧変化を相殺させることできる。これにより、液晶表示装置の近傍に配置された他の電子デバイス（例えば、静電容量タッチパネル）へ与える影響を低減することが可能となる。
本実施例を適用することで、液晶表示装置の近傍に配置された他の電子デバイス（例えば、静電容量タッチパネル）が実施しているノイズ対策（タッチパネルの裏面に低抵抗のシールド層を配置し、ＧＮＤに接続）をなくすことができるため、スマートフォン等の液晶表示装置を用いたアプリケーション機器における、ＡＣ電圧発生回路１９の付加を上回るコストの低減、及び、表示性能（輝度）の向上を図ることが可能となる。
以上、本発明者によってなされた発明を、前記実施例に基づき具体的に説明したが、本発明は、前記実施例に限定されるものではなく、その要旨を逸脱しない範囲において種々変更可能であることは勿論である。
【符号の説明】
【００２０】
１  上偏光板
２  透明導電膜
３  第２基板（ＣＦ基板ともいう）
４  カラーフィルタ層
５  遮光膜（ブラックマトリクス）
６  平坦化膜
７  配向膜
８  液晶層
９  第３絶縁膜
１０  第２絶縁膜
１１  第１絶縁膜
１２  第１基板（ＴＦＴ基板ともいう）
１３  下偏光板
１４  画素電極
１５，Ｄ１−Ｒ〜Ｄｍ−Ｒ，Ｄ１−Ｇ〜Ｄｍ−Ｇ，Ｄ１−Ｂ〜Ｄｍ−Ｂ  映像線
１６  共通電極配線
１７  共通電極
１８  フレキシブル配線基板
１９  ＡＣ電圧発生回路
２０，ＴＦＴ  薄膜トランジスタ
２１，Ｇ１〜Ｇｎ  走査線
２２，ＹＤＶ  走査線駆動回路
２３，ＸＤＶ  映像線駆動回路
２４  共通電極駆動回路
２５  シール材
１００  表示部
ＬＣＤ  液晶表示パネル
ＰＩＸ  画素
ＣＴＬ  表示制御回路
Ｃｌｃ  液晶容量
ＳＷＳ  ＲＧＢスイッチ回路
【図１】
2012234080.tif 000003
【図２】
2012234080.tif 000004
【図３】
2012234080.tif 000005
【図４】
2012234080.tif 000006
【図５】
2012234080.tif 000007
【図６】
2012234080.tif 000008
【図７】
2012234080.tif 000009
【図８】
2012234080.tif 000010